(57)【要約】【課題】余計な書き込み工程なしで液晶ディスプレイ装置の点滅を回避し、製造時間は削減でき、処理総量を増加させることができる電圧校正回路を提供する。【解決手段】  初期位相においてカップリング電圧を検出し、該カップリング電圧に応じて補償電圧を生成する、カップリング電圧検出回路（２６０）と、  前記補償電圧に応じて共通電圧を調整して、ディスプレイ位相において、調整された共通電圧をディスプレイモジュールへ出力する共通電圧回路（２８０）と、を有する、  電圧校正回路（２５０）。【選択図】図２Ａ
2015041103.tif 000002
【特許請求の範囲】
【請求項１】
初期位相においてカップリング電圧を検出し、該カップリング電圧に応じて補償電圧を生成するカップリング電圧検出回路と、
前記補償電圧に応じて共通電圧を調整して、ディスプレイ位相において、調整された共通電圧をディスプレイモジュールへ出力する共通電圧回路と、を有する、
電圧校正回路。
【請求項２】
前記共通電圧回路と前記カップリング電圧検出回路とに接続され、前記ディスプレイモジュールを前記共通電圧回路又は前記カップリング電圧検出回路のどちらかに接続させる、スイッチをさらに有する、
請求項１の電圧校正回路。
【請求項３】
前記スイッチは、前記初期位相において、前記ディスプレイモジュールを前記カップリング電圧検出回路に接続させる、
請求項２の電圧校正回路。
【請求項４】
前記スイッチは、前記ディスプレイ位相において、前記ディスプレイモジュールを前記共通電圧回路に接続させる、
請求項２の電圧校正回路。
【請求項５】
ソース駆動回路と前記カップリング電圧検出回路とに接続され、前記ディスプレイモジュールを前記ソース駆動回路又は前記カップリング電圧検出回路のどちらかに接続させる、スイッチをさらに有する、
請求項１の電圧校正回路。
【請求項６】
ソース駆動回路と前記カップリング電圧検出回路とに接続され、前記ディスプレイモジュールを前記ソース駆動回路又は前記カップリング電圧検出回路のどちらかに接続させる、第１のスイッチと、
前記共通電圧回路と前記カップリング電圧検出回路とに接続され、前記ディスプレイモジュールを前記共通電圧回路又は前記カップリング電圧検出回路のどちらかに接続させる、第２のスイッチと、をさらに有する、
請求項１の電圧校正回路。
【請求項７】
前記カップリング電圧検出回路と前記共通電圧回路とに接続され、前記共通電圧のための所定のシフト値を設定する電圧設定ユニットをさらに有する、
請求項１の電圧校正回路。
【請求項８】
複数の寄生容量を有するディスプレイモジュールと、
複数のゲート信号を生成するゲート駆動回路と、
前記ディスプレイモジュールに接続され、ディスプレイ電圧を前記ディスプレイモジュールへ出力するソース駆動回路と、
初期位相のカップリング電圧を検出し、該カップリング電圧に応じて補償電圧を生成するカップリング電圧検出回路；及び
前記補償電圧に応じて共通電圧を調整して、ディスプレイ位相において、調整された共通電圧をディスプレイモジュールへ出力する共通電圧回路；を備える電圧校正回路と、を有する、
液晶ディスプレイ装置。
【請求項９】
初期位相においてカップリング電圧を検出し、該カップリング電圧に応じて補償電圧を生成するカップリング電圧検出回路と、
前記補償電圧に応じてディスプレイ電圧を調整して、ディスプレイ位相において、調整されたディスプレイ電圧をディスプレイモジュールへ出力するソース駆動回路と、を有する、
電圧校正回路。
【請求項１０】
前記カップリング電圧検出回路に接続され、前記ディスプレイモジュールを接地端子又は前記カップリング電圧検出回路のいずれかに接続するスイッチをさらに有する、
請求項９の電圧校正回路。
【請求項１１】
前記スイッチは、前記初期位相において、前記ディスプレイモジュールを前記カップリング電圧検出回路に接続させる、
請求項１０の電圧校正回路。
【請求項１２】
前記スイッチは、前記ディスプレイ位相において、前記ディスプレイモジュールを前記接地端子に接続させる、
請求項１０の電圧校正回路。
【請求項１３】
前記ソース駆動回路及び前記カップリング電圧検出回路に接続され、前記ディスプレイモジュールを前記ソース駆動回路又は前記カップリング電圧検出回路のいずれかに接続する、スイッチをさらに有する、
請求項９の電圧校正回路。
【請求項１４】
前記ソース駆動回路及び前記カップリング電圧検出回路に接続され、前記ディスプレイモジュールを前記ソース駆動回路又は前記カップリング電圧検出回路のいずれかに接続する、第１のスイッチと、
前記カップリング電圧検出回路に接続され、前記ディスプレイモジュールを接地端子又は前記カップリング電圧検出回路のいずれかに接続する、第２のスイッチと、をさらに有する、
請求項９記載の電圧校正回路。
【請求項１５】
前記カップリング電圧検出回路と前記ソース駆動回路とに接続され、前記ディスプレイ電圧のための所定のシフト値を設定する電圧設定ユニットをさらに有する、
請求項９の電圧校正回路。
【請求項１６】
複数の寄生容量を有するディスプレイモジュールと、
複数のゲート信号を生成するゲート駆動回路と、
初期位相においてカップリング電圧を検出し、該カップリング電圧に応じて補償電圧を生成するカップリング電圧検出回路；及び、
前記補償電圧に応じてディスプレイ電圧を調整して、ディスプレイ位相において、調整されたディスプレイ電圧を前記ディスプレイモジュールへ出力するソース駆動回路；を備える電圧校正回路と、を有する
液晶ディスプレイ装置。
【発明の詳細な説明】
【技術分野】
【０００１】
本発明は、電圧校正回路、関連する液晶ディスプレイ装置、及び能動的にカップリング電圧検出可能な液晶ディスプレイ装置に関する。
（関連出願）
本出願は、２０１３年８月２３日に出願された米国出願第６１／８６９，０７０号に対する優先権を主張し、この出願の開示は、本明細書において、その基礎出願全体を参照により援用する。
【背景技術】
【０００２】
液晶ディスプレイ（Ｌｉｑｕｉｄ  Ｃｒｙｓｔａｌ  Ｄｉｓｐｌａｙ：ＬＣＤ）は、軽量で、低消費電力、放射汚染が少ないという利点がある。従って、ＬＣＤモニターは、例えば、ノート型パソコン、ＰＤＡ等の様々な携帯情報製品に広く採用されてきている。ＬＣＤモニターは、液晶間の電圧差を変化させることで、液晶分子の配列に対応する光透過を制御するように知らせ、バックライトモジュールによって与えられた光で画像を作り出す。
【０００３】
薄いフィルムトランジスタ（Ｔｈｉｎ  Ｆｉｌｍ  Ｔｒａｎｓｉｓｔｏｒ：ＴＦＴ）ＬＣＤモニターは、今のところ最も一般的なディスプレイ装置となっている。ディスプレイモジュール及びその駆動チップの機能と構造が十分充実している。従来例のＴＦＴＬＣＤモニター１０の概要図を示す図１Ａを参照する。ＬＣＤモニター１０は、ディスプレイモジュール１２０、ソースドライバ１８０及びゲートドライバ１８０を有する。
【０００４】
ディスプレイモジュール１２０は、複数の平行なデータラインＤ１〜Ｄｍ、複数の平行なゲートラインＧ１〜Ｇｎ及び複数のディスプレイユニットＰ１１〜Ｐｍｎを有する。
データラインＤ１〜ＤｍはゲートラインＧ１〜Ｇｍと交差し、各ディスプレイユニットＰ１１〜Ｐｍｎは、対応するデータラインとゲートラインＧ１〜Ｇｍとが交差する接合点に夫々配置されている。
ソースドライバ１６０とゲートドライバ１８０は対応する複数のゲート信号と複数の駆動信号とを夫々生成する。ディスプレイモジュール１２０の各ディスプレイユニットＰ１１〜ＰｍｎはＴＦＴスイッチ１００と等価コンデンサ１４０を有する。夫々の等価コンデンサ１４０は対応するＴＦＴスイッチ１００を介して対応するデータラインＤ１〜Ｄｍに接続された一方の端子と、共通電圧ＶＣＯＭ（ＣＳ共通）に接続される他方の端子とを持っている。ディスプレイユニットＰ１１〜ＰｍｎのＴＦＴスイッチ１００がゲートドライバ１８０によって生成されたゲート信号によってオンされるとき、ディスプレイユニットＰ１１〜Ｐｍｎの等価コンデンサ１４０は対応するデータ線に電気的に接続され、従ってソースドライバ１６０からの駆動電圧を受け取ることができる。よって、ディスプレイユニットＰ１１〜Ｐｍｎは、等価コンデンサ１４０に格納された電荷に基づく液晶分子の回転の変化によって様々なグレースケール（濃淡諧調）の画像を表示することができる。
【０００５】
各ディスプレイユニットＰ１１〜Ｐｍｎ内には寄生容量１１１が存在する。ゲートラインＧ１〜Ｇｎがオン又はオフにかわる時、電圧の分散はディスプレイユニットＰ１１〜Ｐｍｎに衝撃を与える。ゲートラインＧ１〜Ｇｎがオンの時、ディスプレイユニットＰ１１〜Ｐｍｎは正確な電圧にチャージする。ゲートラインＧ１〜Ｇｍｎがオフのとき、負のカップリング電圧がディスプレイユニットＰ１１〜Ｐｍｎ上で作成される。ソース駆動回路１８０がチャージングを停止すると、ディスプレイユニットＰ１１〜Ｐｍｎの正の電圧及び負の電圧が、固定の共通電圧ＶＣＯＭの負の電圧と対称になる。それ故、同じ回転値を持つので、ディスプレイデータの正の及び負の液晶分子は同じ諧調（Ｇｒａｙ  Ｌｅｖｅｌ）になる。
しかしながら、ＬＣＤパネルの製造工程の変動により、寄生容量が異なるので、ディスプレイユニットＰ１１〜Ｐｍｎの負のカップリング電圧はもはや共通電圧ＶＣＯＭと対称ではいられない。さらに、諧調の不均一により点滅（Ｆｌｉｃｋｅｒｉｎｇ）を引き起こす。
【０００６】
図１Ａのディスプレイユニットの例の波形を示す図１Ｂを参照する。図１Ｂにおいて、ゲートライン（例えばＧ１）が負のレベルＶＧＬ（例えば−１２Ｖ）から正のレベルＶＧＨ（例えば１５Ｖ）まで上昇すると、ＧＮＤは接地端子であることを意味する場合、ゲートラインがオンになることを示す
ソース駆動回路１６０は、等価コンデンサ１５０をディスプレイ電圧になるまでチャージする。ゲートラインがオフになる時、ゲートラインは正のレベル（例えば１５Ｖ）から負のレベル（例えば−１２Ｖ）まで降下する。この時、等価容量１４０は、寄生容量１１１により（大抵１Ｖ程度）電圧が降下する。容量結合の後、データラインＤ１〜Ｄｍｎの電圧は共通電圧ＶＣＯＭと対称になる。それぞれのＬＣＤの寄生容量の違いが大きいと、ディスプレイユニットＰ１１〜Ｐｍｎは、容量結合の後、共通電圧ＶＣＯＭと対称ではなくなるおそれがある。
【発明の概要】
【発明が解決しようとする課題】
【０００７】
点滅を解消するために、従来例では、点滅に応じて共通電圧ＶＣＯＭを調整する不揮発性メモリ（Ｎｏｎｖｏｌａｔｉｌｅ  Ｍｅｍｏｒｙ：ＮＶＭ）が開発されている。しかし、製造において、余分な書き込み工程が追加されてしまう。
【０００８】
そこで、本発明では、書き込み工程なしで点滅を回避し、製造時間は削減でき、処理総量を増加させることができる電圧校正回路の提供を目的とする。
【課題を解決するための手段】
【０００９】
上記課題を解決するため、本発明は以下のような電圧校正回路を提供する。
【００１０】
本出願は電圧校正回路を提供する。電圧校正回路は、初期位相においてカップリング電圧を検出し、該カップリング電圧に応じて補償電圧を生成する、カップリング電圧検出回路と、前記補償電圧に応じて共通電圧を調整して、ディスプレイ位相においてディスプレイモジュールに共通電圧を出力する、共通電圧回路と、を有する。
【００１１】
本出願は液晶ディスプレイ装置を提供する。液晶ディスプレイ装置は、複数の寄生容量を有するディスプレイモジュールと、複数のゲート信号を生成するゲート駆動回路と、  前記ディスプレイモジュールに接続され、ディスプレイ電圧を前記ディスプレイモジュールへ出力するソース駆動回路と、初期位相のカップリング電圧を検出し、該カップリング電圧に応じて補償電圧を生成するカップリング電圧検出回路；及び前記補償電圧に応じて共通電圧を調整して、ディスプレイ位相においてディスプレイモジュールに共通電圧を出力する共通電圧回路；を備える電圧校正回路と、を有する。
【００１２】
本出願は、さらに電圧校正回路を提供する。電圧校正回路は、初期位相においてカップリング電圧を検出し、該カップリング電圧に応じて補償電圧を生成する、カップリング電圧検出回路と、前記補償電圧に応じてディスプレイ電圧を調整して、ディスプレイ位相において調整されたディスプレイ電圧を前記ディスプレイモジュールへ出力するソース駆動回路と、を有する。
【００１３】
本出願は、さらに液晶ディスプレイ装置を提供する。液晶ディスプレイ装置は、複数の寄生容量を有するディスプレイモジュールと、複数のゲート信号を生成するゲート駆動回路と、前記ディスプレイモジュールに接続され、ディスプレイ電圧を前記ディスプレイモジュールへ出力するソース駆動回路と、初期位相のカップリング電圧を検出し、該カップリング電圧に応じて補償電圧を生成するカップリング電圧検出回路；及び前記補償電圧に応じて共通電圧を調整して、ディスプレイ位相においてディスプレイモジュールに共通電圧を出力する共通電圧回路；を備える電圧校正回路と、を有する。
【００１４】
本発明のこれらの及び他の目的は以下の詳細の説明に様々な図面に示されている好ましい実施形態を読むと、当業者にとって実施可能な程度に明らかとなる。
【発明の効果】
【００１５】
一態様によれば、書き込み工程なしで液晶ディスプレイ装置の点滅を回避し、製造時間は削減でき、処理総量を増加させることができる電圧校正回路の提供を目的とする。
【図面の簡単な説明】
【００１６】
【図１Ａ】従来のＴＦＴ  ＬＣＤ  モニターの概略図を示す。
【図１Ｂ】図１Ａのディスプレイユニットでの波形を示す。
【図２Ａ】本発明の１実施形態の液晶ディスプレイ装置（ＬＣＤ）の例示的な概略図を示す。
【図２Ｂ】図２Ａのディスプレイユニットでの波形を示す。
【図２Ｃ】図２Ａのカップリング電圧検出回路の例示的な概略図を示す。
【図３】さらに他の実施形態のＬＣＤの例示的な概略図を示す。
【図４】さらに他の実施形態のＬＣＤの例示的な概略図を示す。
【図５】さらに他の実施形態のＬＣＤの例示的な概略図を示す。
【図６Ａ】さらに他の実施形態のＬＣＤの例示的な概略図を示す。
【図６Ｂ】図６Ａのディスプレイユニットでの波形を示す。
【図７】さらに他の実施形態のＬＣＤの例示的な概略図を示す。
【図８】さらに他の実施形態のＬＣＤの例示的な概略図を示す。
【図９】さらに他の実施形態のＬＣＤの例示的な概略図を示す。
【発明を実施するための形態】
【００１７】
液晶ディスプレイ装置（ＬＣＤ）２０の例示的な概要図である図２Ａを参照する。
ＬＣＤ２０は、ディスプレイモジュール２００、ソース駆動回路２２０、ゲート駆動回路２４０、及び電圧校正回路２５０を備える。電圧校正回路２５０は、カップリング電圧検出回路２６０と、共通電圧回路２８０と、スイッチ２９０とを有する。ＬＣＤ２０の構成は図１で示したＴＦＴ  ＬＣＤ１０と同様なので、同じ動作の説明は省略する。ゲート駆動回路２４０は、複数のゲートラインを順番にオンオフするための複数のゲート信号を生成するために用いられる。ソース駆動回路２２０は、ゲートラインがオンしたとき（例えば、ゲート信号が負の電圧から正の電圧へ変化したとき）に、複数のディスプレイ電圧を前記ディスプレイモジュール２００へ入力するために用いられる。
ディスプレイモジュール２００の寄生容量は、ゲート信号の立下がりエッジでカップリング電圧ＶＦＤを生成し、共通電圧端子ＴＶＣＯＭの共通電圧ＶＣＯＭを降下させる。カップリング電圧検出回路２６０は、スイッチ２９０を介してディスプレイモジュール２００に接続され、カップリング電圧ＶＦＤの検出及び、初期位相において該カップリング電圧ＶＦＤに応じて補償電圧ＶＳＨＦＴの生成に用いられる。
ＬＣＤ２０の初期位相とは、ＬＣＤ２０がオンした後であって画像が表示される前の期間である。共通電圧回路２８０は、スイッチ２９０を介してディスプレイモジュール２００の共通電圧端子ＴＶＣＯＭに接続され、ディスプレイ位相に応じて、補償電圧ＶＳＨＦＴに応じて共通電圧ＶＣＯＭを調整してディスプレイモジュール２００に共通電圧ＶＣＯＭを出力する。
ＬＣＤ２０のディスプレイ位相とは、ＬＣＤ２０が画像を表示できる期間である。スイッチ２９０は、ディスプレイモジュール２００と、カップリング電圧検出回路２６０と共通電圧回路２８０とに接続され、ディスプレイモジュール２００をカップリング電圧検出回路２６０又は共通電圧回路２８０のどちらかに接続させるのに用いられる。
従って、初期位相では、ＬＣＤ２０は寄生容量によって生成されたカップリング電圧ＶＦＤを検出でき、書き込み工程なしで点滅を避けるために共通電圧ＶＣＯＭを積極的に調整する。
さらに、製造時間は削減でき、処理総量を増加させる。
【００１８】
例示的なディスプレイユニットの波形を示す図２Ｂを参照する。正確には、共通電圧ＶＣＯＭは、初期位相で所定の値（例えば０Ｖ）に設定される。
ゲート駆動回路２４０がゲートラインをオフするとき（例えば、ゲート信号を正のレベルＶＧＨから負のレベルＧＮＬに降下させるとき）、スイッチ２９０はディスプレイモジュール２００の共通電圧端子ＴＶＣＯＭをカップリング電圧検出回路２６０に接続する。カップリング電圧検出回路２６０はカップリング電圧ＶＦＤを検出し、補償電圧ＶＳＨＦＴを生成する。好ましくは、カップリング電圧ＶＦＤはカップリング電圧検出回路２６０のレジスタ（図２に不図示）に格納されてもよい。
ディスプレイ位相では、スイッチ２９０は、ディスプレイモジュール２００の共通電圧端子ＴＶＣＯＭを共通電圧回路２８０に接続させる。共通電圧回路２８０は、補償電圧ＶＳＨＦＴに応じて共通電圧ＶＣＯＭを調整して、ディスプレイモジュール２００に調整した共通電圧ＶＣＯＭ−ＡＤを出力する。
例えば、最初は、共通電圧ＶＣＯＭを０Ｖとする。ゲートラインがオフする時、カップリング電圧検出回路２６０はカップリング電圧ＶＦＤが−０．６Ｖであることを検出し、−１．２Ｖである補償電圧ＶＳＨＦＴを生成する。
ディスプレイ位相では、共通電圧回路２８０は共通電圧ＶＣＯＭを０Ｖから−１．２Ｖへ降下させ、調整した−１．２Ｖの共通電圧ＶＣＯＭ−ＡＤをディスプレイモジュール２００へ出力する。
【００１９】
カップリング電圧検出回路２６０の一例の概略図である図２Ｃを参照する。カップリング電圧検出回路２６０はこの構成に限られない。カップリング電圧検出回路２６０は、アナログデジタルコンバータ（ＡＤＣ）２６２、ルックアップテーブル２６４、及びデジタルアナログコンバータ（ＤＡＣ）２６６を有する。
ＡＤＣ２６２は、アナログカップリング電圧ＶＦＤを受信し、それをデジタル値ＤＦＤへ変換する。ルックアップテーブル２６４は、補償電圧ＶＳＨＦＴに対応するデジタル値ＤＳＨＦＴを出力する。ＤＡＣ２６６は、デジタル値ＤＳＨＦＴをアナログ補償値ＶＳＨＦＴに変換するのに用いられる。
【００２０】
ある実施形態では、電圧校正回路はさらに電圧設定ユニットを有する。ＬＣＤ３０の概略図である図３を参照する。図３において、ＬＣＤ３０はディスプレイモジュール３００、ソース駆動回路３２０、ゲート駆動回路３４０、及び電圧校正回路３５０を有する。電圧校正回路３５０は、カップリング電圧検出回路３６０と、共通電圧回路３８０と、スイッチ２９０と、電圧設定ユニット３１０とを有する。
図２Ａの構成例との違いは、電圧校正回路３５０が、カップリング電圧検出回路３６０と共通電圧回路３８０とに接続される電圧設定ユニット３１０を備えることである。電圧設定ユニット３１０は、共通電圧ＶＣＯＭのための所定のシフト値を設定するのに用いられる。
初期位相において、ゲート駆動回路３４０がゲートラインをオフするとき、スイッチ３９０が、ディスプレイモジュール３００の共通電圧端子ＴＶＣＯＭをカップリング電圧検出回路３６０に接続する。カップリング電圧検出回路３６０は、カップリング電圧ＶＦＤを検出して、カップリング電圧ＶＦＤ又はルックアップテーブル２６４に関連する式を用いて補償電圧ＶＳＨＦＴを生成する。
ディスプレイ位相において、スイッチ３９０は、ディスプレイモジュール３００の共通電圧端子ＴＶＣＯＭを共通電圧回路３８０に接続する。共通電圧回路３８０は、補償電圧ＶＳＨＦＴと共通電圧ＶＣＯＭの所定のシフト値との重ね合わせに応じて共通電圧ＶＣＯＭを調整し、ディスプレイモジュール３００へ調整した共通電圧ＶＣＯＭを出力する。
例えば、最初に、共通電圧ＶＣＯＭが０Ｖに設定される。初期位相において、ゲートラインがオフすると、カップリング電圧検出回路３６０はカップリング電圧ＶＦＤが−０．６Ｖであることを検出する。電圧設定ユニット３１０は共通電圧ＶＣＯＭの所定のシフト値を−１Ｖに設定する。
そして、カップリング電圧検出回路３６０は、カップリング電圧ＶＦＤに応じて、−０．２Ｖの補償電圧ＶＳＨＦＴを生成する。
ディスプレイ位相では、共通電圧回路３８０は、補償電圧ＶＳＨＦＴと共通電圧ＶＣＯＭの所定のシフト値との重ね合わせに応じて共通電圧ＶＣＯＭを０Ｖから−１．２Ｖ｛例えば、（−０．２Ｖ）＋（−１Ｖ）｝に調整し、調整した共通電圧ＶＣＯＭ−ＡＤをディスプレイモジュール３００へ出力する。
【００２１】
ある実施形態では、カップリング電圧検出回路は、ディスプレイモジュールの共通電圧端子ＴＶＣＯＭだけではなく、カップリング電圧ＶＦＤを検出するために、ソース駆動回路、又はソース駆動回路と共通電圧端子ＴＶＣＯＭの両方に接続できる。例示的なＬＣＤ４０を示した概略図である図４を参照する。図４において、ＬＣＤ４０はディスプレイモジュール４００、ソース駆動回路４２０、ゲート駆動回路４４０、及び電圧校正回路４５０を有する。電圧校正回路４５０は、カップリング電圧検出回路４６０と、共通電圧回路４８０と、スイッチ４９０とを有する。
ＬＣＤ４０とＬＣＤ２０との相違点は、スイッチ４９０の接続先である。スイッチ４９０はディスプレイモジュール４００、ソース駆動回路４２０、及びカップリング電圧検出回路４６０に接続されている。そして、スイッチ４９０は、ディスプレイモジュール４００をソース駆動回路４２０又はカップリング電圧検出回路４６０のどちらかに接続させるのに用いられる。
初期位相において、ゲート駆動回路４４０がゲートラインをオフするとき、スイッチ４９０は共通電圧端子ＴＶＣＯＭをカップリング電圧検出回路４６０に接続させる。カップリング電圧検出回路４６０は、ソースラインのカップリング電圧ＶＦＤ＿ＳＯＵＲＣＥを検出し、該カップリング電圧ＶＦＤ＿ＳＯＵＲＣＥに応じて補償電圧ＶＳＨＦＴを生成する。ソースライン上のカップリング電圧ＶＦＤ＿ＳＯＵＲＣＥは、共通電圧端子ＴＶＣＯＭのカップリング電圧ＶＦＤと略等しいと好ましい。
ディスプレイ位相において、スイッチ４９０は、ディスプレイモジュール４００をソース駆動回路４２０に接続させる。共通電圧回路４８０は、補償電圧ＶＳＨＦＴに応じて共通電圧ＶＣＯＭを調整し、ディスプレイモジュール４００に調整された共通電圧ＶＣＯＭ−ＡＤを出力する。
【００２２】
例示的なＬＣＤ５０の概略図である図５を参照する。図５において、ＬＣＤ５０はディスプレイモジュール５００、ソース駆動回路５２０、ゲート駆動回路５４０、及び電圧校正回路５５０を有する。電圧校正回路５５０は、カップリング電圧検出回路５６０と、共通電圧回路５８０と、電圧設定回路５１０と、第１のスイッチ５９０と、第２のスイッチ５９１とを有する。電圧校正回路５５０は電圧校正回路３５０と電圧校正回路４５０との組み合わせであるので、電圧校正回路５５０は同様の構成を有する。
両者の相違点は、電圧校正回路５５０はさらに第２のスイッチ５９１を有することである。第１のスイッチ５９０は、ディスプレイモジュール５００と、ソース駆動回路５２０と、カップリング電圧検出回路５６０とに接続されており、ディスプレイモジュール５００をソース駆動回路５２０又はカップリング電圧検出回路５６０のどちらかに接続させるのに用いられる。第２のスイッチ５９１は、ディスプレイモジュール５００と、共通電圧回路５８０とカップリング電圧検出回路５６０とに接続され、ディスプレイモジュール５００を共通電圧端子ＴＶＣＯＭ又はカップリング電圧検出回路５６０のどちらかに接続させるのに用いられる。
即ち、カップリング電圧検出回路５６０は、共通電圧端子ＴＶＣＯＭのカップリング電圧ＶＦＤ同様に、初期位相において、スキャンライン上のカップリング電圧ＶＦＤ＿ＳＯＵＲＣＥを検出し、該カップリング電圧ＶＦＤと該カップリング電圧ＶＦＤ＿ＳＯＵＲＣＥに応じて補償電圧ＶＳＨＦＴを生成する。
ディスプレイ位相において、第１のスイッチ５９０は、ディスプレイモジュール５００をソース駆動回路５２０に接続する。一方、第２のスイッチ５９１はディスプレイモジュール５００の共通電圧端子ＴＶＣＯＭを共通電圧回路５８０に接続している。
共通電圧回路５８０は、共通電圧ＶＣＯＭのシフト値と補償電圧ＶＳＨＦＴとの重ね合わせに応じて共通電圧ＶＣＯＭを調整し、ディスプレイモジュール５００に調整された共通電圧ＶＣＯＭ−ＡＤを出力する。
【００２３】
ＬＣＤ６０の例示的な概要図である図６Ａを参照する。ＬＣＤ６０は、ディスプレイモジュール６００、ゲート駆動回路６４０、及び電圧校正回路６５０を備える。電圧校正回路６５０は、ソース駆動回路６２０、カップリング電圧検出回路６６０と、スイッチ６９０とを有する。ＬＣＤ６０の構成は図１で示したＴＦＴ  ＬＣＤ１０と同様なので、同じ動作の説明は省略する。
ゲート駆動回路６４０は、複数のゲートラインを順番にオンオフするための複数のゲート信号を生成するために用いられる。ディスプレイモジュール６００の寄生容量は、ゲート信号の立下がりエッジ（例えば、ゲートラインが）でカップリング電圧ＶＦＤを生成する。
スイッチ６９０はカップリング電圧検出回路６６０に接続され、ディスプレイモジュール６００（の共通電圧端子ＴＶＣＯＭ）を接地端子６８０又はカップリング電圧検出回路６６０のいずれかに接続するのに用いられる。共通電圧端子ＴＶＣＯＭが接地端子６８０に接続された時、共通電圧ＶＣＯＭは固定である０Ｖである。カップリング電圧検出回路６６０は、カップリング電圧ＶＦＤの検出に用いられ、初期位相において該カップリング電圧ＶＦＤに応じて補償電圧ＶＳＨＦＴを生成する。
ＬＣＤ６０の初期位相とは、ＬＣＤ６０がオンした後であって画像が表示される前の期間である。ソース駆動回路６２０は、初期位相において、調整されていないディスプレイ電圧ＶＣＳ’をディスプレイモジュール６００に出力し、ディスプレイ位相において、補償電圧ＶＳＨＦＴに応じて調整されたディスプレイ電圧ＶＣＳをディスプレイモジュール６００に出力する。
従って、初期位相では、本実施形態のＬＣＤ６０は、寄生容量によって生成されたカップリング電圧ＶＦＤを検出でき、書き込み工程なしで点滅を避けるために共通電圧ＶＣＯＭを積極的に調整する。さらに、製造時間は削減でき、処理総量を増加させることができる。
【００２４】
例示的なディスプレイユニットの波形を示す図６Ｂを参照する。
初期位相において、共通電圧ＶＣＯＭは、初期位相で所定の値（例えば０Ｖ）に前もって設定される。ソース駆動回路６２０が調整されていないディスプレイ電圧ＶＣＳ’をディスプレイモジュール６００の等価容量に出力する。ゲート駆動回路６４０が、ゲートラインをオフするとき（例えば、ゲート信号を正のレベルＶＧＨから負のレベルＧＮＬに降下させるとき）、スイッチ６９０はディスプレイモジュール６００の共通電圧端子ＴＶＣＯＭをカップリング電圧検出回路６６０に接続する。カップリング電圧検出回路６６０はカップリング電圧ＶＦＤを検出し、補償電圧ＶＳＨＦＴを生成する。好ましくは、カップリング電圧ＶＦＤはカップリング電圧検出回路６６０のレジスタ（図６Ａに不図示）に格納されてもよい。
ディスプレイ位相では、スイッチ６９０は、ディスプレイモジュール６００の共通電圧端子ＴＶＣＯＭを接地端子６８０に接続させるので、共通電圧ＶＣＯＭは０Ｖに設定される。
カップリング電圧検出回路６６０は補償電圧ＶＳＨＦＴをソース駆動回路６２０へ出力する。
ソース駆動回路６２０は、補償電圧ＶＳＨＦＴに応じて、ディスプレイ電圧ＶＣＳをディスプレイモジュール６００へ出力する。
【００２５】
ある実施形態では、電圧校正回路はさらに電圧設定ユニットを有する。ＬＣＤ７０の概略図である図７を参照する。図７において、ＬＣＤ７０はディスプレイモジュール７００、ゲート駆動回路７４０、及び電圧校正回路７５０を有する。電圧校正回路７５０は、ソース駆動回路７２０、カップリング電圧検出回路７６０と、スイッチ７９０と、電圧設定ユニット７１０とを有する。
ＬＣＤ７０の基本的な構成はＬＣＤ６０と同様である。両者の違いは、電圧校正回路７５０が、カップリング電圧検出回路７６０とソース駆動回路７２０とに接続される電圧設定ユニット７１０を備えることである。電圧設定ユニット７１０は、ディスプレイ電圧のための所定のシフト値を設定するのに用いられる。
初期位相において、ゲート駆動回路７４０がゲートラインをオフするとき、スイッチ７９０が、ディスプレイモジュール７００の共通電圧端子ＴＶＣＯＭをカップリング電圧検出回路７６０に接続する。カップリング電圧検出回路７６０は、カップリング電圧ＶＦＤを検出して、カップリング電圧ＶＦＤに応じて補償電圧ＶＳＨＦＴを生成する。
ディスプレイ位相において、スイッチ７９０は、ディスプレイモジュール７００の共通電圧端子ＴＶＣＯＭを接地端子７８０に接続する。ソース駆動回路７２０は、補償電圧ＶＳＨＦＴとディスプレイ電圧の所定のシフト値との重ね合わせに応じてディスプレイ電圧ＶＣＳ’を調整し、ディスプレイ位相で、ディスプレイモジュール７００へ調整したディスプレイ電圧ＶＣＳを出力する。
【００２６】
ある実施形態では、カップリング電圧検出回路は、ディスプレイモジュール（例えば６００又は７００）の共通電圧端子ＴＶＣＯＭだけではなく、カップリング電圧ＶＦＤを検出するために、ソース駆動回路、又はソース駆動回路と共通電圧端子ＴＶＣＯＭの両方に接続できる。例示的なＬＣＤ８０を示した概略図である図８を参照する。図８において、ＬＣＤ８０はディスプレイモジュール８００、ゲート駆動回路８４０、及び電圧校正回路８５０を有する。電圧校正回路８５０は、ソース駆動回路８２０、カップリング電圧検出回路８６０と、スイッチ８９０とを有する。
ＬＣＤ８０とＬＣＤ６０との相違点は、スイッチ８９０はスイッチ６９０の接続先とはこのなり、ディスプレイモジュール８００が接地端子８８０に直接接続していることである。スイッチ８９０はディスプレイモジュール８００、ソース駆動回路８２０、及びカップリング電圧検出回路８６０に接続されている。そして、スイッチ８９０は、ディスプレイモジュール８００をソース駆動回路８２０又はカップリング電圧検出回路８６０のどちらかに接続させるのに用いられる。
初期位相において、ゲート駆動回路８４０がゲートラインをオフするとき、スイッチ８９０はディスプレイモジュール８００（の共通電圧端子ＴＶＣＯＭ）をカップリング電圧検出回路８６０に接続させる。そして、カップリング電圧検出回路８６０は、スキャンラインのカップリング電圧ＶＦＤ＿ＳＯＵＲＣＥを検出し、スキャンライン上の該カップリング電圧ＶＦＤ＿ＳＯＵＲＣＥに応じて補償電圧ＶＳＨＦＴを生成する。スキャンライン上のカップリング電圧ＶＦＤ＿ＳＯＵＲＣＥは、共通電圧端子ＴＶＣＯＭのカップリング電圧ＶＦＤと略等しいと好ましい。
ディスプレイ位相において、スイッチ８９０は、ディスプレイモジュール８００をソース駆動回路８２０に接続させる。ソース駆動回路８２０は、補償電圧ＶＳＨＦＴに応じてディスプレイ電圧ＶＣＳ’を調整し、ディスプレイモジュール８００にその調整されたディスプレイ電圧ＶＣＳを出力する。
【００２７】
例示的なＬＣＤ９０の概略図である図９を参照する。図９において、ＬＣＤ９０はディスプレイモジュール９００、ゲート駆動回路９４０、及び電圧校正回路９５０を有する。
電圧校正回路９５０は、ソース駆動回路９２０、カップリング電圧検出回路９６０と、接地端子９８０と、電圧設定回路９１０と、第１のスイッチ９９０と、第２のスイッチ９９１とを有する。ＬＣＤ９０はＬＣＤ７０とＬＣＤ８０との組み合わせであるので、ＬＣＤ９０は同様の構成を有する。
両者の相違点は、電圧校正回路９５０はさらに第２のスイッチ９９１を有することだけである。第１のスイッチ９９０は、ディスプレイモジュール９００と、ソース駆動回路９２０と、カップリング電圧検出回路９６０とに接続されており、ディスプレイモジュール９００をソース駆動回路９２０又はカップリング電圧検出回路９６０のどちらかに接続させるのに用いられる。第２のスイッチ９９１は、ディスプレイモジュール９００と、接地端子９８０とカップリング電圧検出回路９６０とに接続されており、ディスプレイモジュール９００の共通電圧端子ＴＶＣＯＭを、接地端子９８０又はカップリング電圧検出回路９６０のどちらかに接続させるのに用いられる。
即ち、カップリング電圧検出回路９６０は、共通電圧端子ＴＶＣＯＭのカップリング電圧ＶＦＤ同様に、初期位相において、スキャンライン上のカップリング電圧ＶＦＤ＿ＳＯＵＲＣＥを検出し、該カップリング電圧ＶＦＤと該カップリング電圧ＶＦＤ＿ＳＯＵＲＣＥに応じて補償電圧ＶＳＨＦＴを生成する。
ディスプレイ位相において、第１のスイッチ９９０はディスプレイモジュール９００をソース駆動回路９２０に接続する一方、第２のスイッチ９９１は共通電圧ＶＣＯＭが０Ｖに設定されるように、ディスプレイモジュール５００の共通電圧端子ＴＶＣＯＭを接地端子９８０に接続している。ソース駆動回路９２０は、ディスプレイ電圧のシフト値と補償電圧ＶＳＨＦＴの重ね合わせに応じてディスプレイ電圧ＶＣＳ’を調整し、ディスプレイモジュール９００に調整されたディスプレイ電圧ＶＣＳを出力する。
【００２８】
以上をまとめると、電圧差に起因する点滅を防ぐため、本発明のカップリング電圧検出回路は、初期位相で、寄生容量（例えば、スキャンライン又は共通電圧端子のカップリング電圧）で生成されたカップリング電圧を、積極的に検出し、カップリング電圧に基づいて共通電圧を調整することが可能である。従来例と比較して、本発明の実施形態では、書き込み工程を必要としないため、製造時間を削減し、処理総量を増加させることができる。
【００２９】
本発明の教示を保持しながら、装置の数々の変形例や代替案がとりうることは当業者にとって明らかである。従って、特許請求の範囲に記載された本発明の技術的思想を外れない範囲内で、当該技術分野の通常の知識を有している者には様々な形態の置換、変形及び変更が可能で、これらもまた本発明の範囲に属する。
【符号の説明】
【００３０】
２０，３０，４０，５０，６０，７０，８０，９０  液晶ディスプレイ装置（ＬＣＤ）
２００，３００，４００，５００，６００，７００，８００，９００  ディスプレイモジュール
２２０，３２０，４２０，５２０，６２０，７２０，８２０，９２０  ソース駆動回路
２５０，３５０，４５０，５５０，６５０，７５０，８５０，９５０  電圧校正回路
２６０，３６０，４６０，５６０，６６０，７６０，８６０，９６０  カップリング電圧検出回路
２８０，３８０，４８０，５８０  共通電圧回路
２９０，３９０，６９０，７９０  スイッチ
３１０，５１０，７１０，９１０  電圧設定ユニット
４９０，８９０  スイッチ
５９０，９９０  第１のスイッチ
５９１，９９１  第２のスイッチ
６８０，７８０，８８０，９８０  接地端子
【図１Ａ】
2015041103.tif 000003
【図１Ｂ】
2015041103.tif 000004
【図２Ａ】
2015041103.tif 000005
【図２Ｂ】
2015041103.tif 000006
【図２Ｃ】
2015041103.tif 000007
【図３】
2015041103.tif 000008
【図４】
2015041103.tif 000009
【図５】
2015041103.tif 000010
【図６Ａ】
2015041103.tif 000011
【図６Ｂ】
2015041103.tif 000012
【図７】
2015041103.tif 000013
【図８】
2015041103.tif 000014
【図９】
2015041103.tif 000015